(57)【要約】【課題】一対の軒樋止まり部材を簡単に且つコンパクトにセットすることができ、施工の際に切断除去の作業が不要で切断屑が発生しない止まりセットを提供することを目的とする。【解決手段】軒樋の両端部に嵌合固着される一対の軒樋止まり部材１Ａ、１Ａからなる止まりセットＡであって、この軒樋止まり部材１Ａの上端縁を除く端縁内側面には軒樋の外周に嵌合する外周リブ１１が形成されると共にそれそれの軒樋止まり部材１Ａ、１Ａの内側面１０ａ、１０に係合突起部１４、１５が形成されており、軒樋止まり部材１Ａ、１Ａの内側面１０ａ、１０ａ同士を対向させ互い違いに重ね合わせたときに互いにずれないように係合突起部１４により規制されている。【選択図】      図１
2004278259.tif 000002
【特許請求の範囲】
【請求項１】
軒樋の両端部に嵌合固着される一対の軒樋止まり部材からなる止まりセットであって、該軒樋止まり部材の上端縁を除く端縁内側面には軒樋の外周に嵌合する外周リブが形成されると共にそれぞれの軒樋止まり部材の内側面に係合突起部が形成されており、一対の軒樋止まり部材の内側面同士を対向させ互い違いに重ね合わせたときに互いにずれないように係合突起部により規制されていることを特徴とする止まりセット。
【請求項２】
一方の軒樋止まり部材の内側面に雌型の係合突起部が形成され、他方の軒樋止まり部材の内側面に雄型の係合突起部が形成され、雌雄の係合突起部同志が係合し合うことを特徴とする請求項１記載の止まりセット。
【請求項３】
係合突起部が外周リブと係合し規制されていることを特徴とする請求項１記載の止まりセット。
【発明の詳細な説明】
【０００１】
【発明の属する技術分野】
本発明は、一対の軒樋止まり部材が互いに係脱可能に重ね合わされてなる止まりセットに関する。
【０００２】
【従来の技術】
従来から一般に、軒樋止まり部材は軒樋の端部に嵌合固着され軒樋の端部を閉塞し、軒樋の端部から雨水が流出するのを防止するものとして周知である。
通常、軒樋の一方の端部に軒樋止まり部材が嵌合固着されるときには、同じ軒樋の他方の端部にも軒樋止まり部材が固着されるので、施工の際には一対の軒樋止まり部材が必要となっている。
【０００３】
ところで、軒樋が前後非対称形状である場合には、軒樋の両端部に嵌合固着される軒樋止まり部材も前後非対称形状となって、一対の軒樋止まり部材が相互に異なる形状となる。この場合、一対の軒樋止まり部材が別々であると、生産工場や施工現場等での部材管理が煩瑣である。
そのため従来から、一対の軒樋止まり部材は接続片を介して合成樹脂で一体に形成することにより止まりセットとして提供されていた（例えば、特許文献１を参照。）。
【０００４】
【特許文献１】
特開２００１─１８２２３９号公報（図１及び図５）
【０００５】
【発明が解決しようとする課題】
しかしながら、従来の止まりセットにあっては、梱包や輸送の際に扱い易く、施工のとき左右セットであるのでそのまま間違わずに取付けることができ部材管理が容易であるが、梱包時の容積が大きくなるという問題があった。また、施工時に接続片を切断する必要があり、切断した跡を綺麗に仕上げるため手間がかかるうえに切除した接続片は廃棄物として排出されるという問題があった。
【０００６】
本発明は、このような事情に鑑みて、一対の軒樋止まり部材を簡単に且つコンパクトにセットすることができ、施工の際に切断除去の作業が不要で切断屑が発生しない止まりセットを提供することを目的としている。
【０００７】
【課題を解決するための手段】
このような目的を達成するために、請求項１記載の止まりセットは、軒樋の両端部に嵌合固着される一対の軒樋止まり部材からなる止まりセットであって、該軒樋止まり部材の上端縁を除く端縁内側面には軒樋の外周に嵌合する外周リブが形成されると共にそれぞれの軒樋止まり部材の内側面に係合突起部が形成されており、一対の軒樋止まり部材の内側面同士を対向させ互い違いに重ね合わせたときに互いにずれないように係合突起部により規制されていることを特徴としている。
【０００８】
請求項１記載の止まりセットは、軒樋止まり部材の上端縁を除く端縁内側面には軒樋の外周に嵌合する外周リブが形成されると共にそれぞれの軒樋止まり部材の内側面に係合突起部が形成されており、一対の軒樋止まり部材の内側面同士を対向させ互い違いに重ね合わせたときに互いにずれないように係合突起部により規制されているので、一対の軒樋止まり部材はがたつくことなくセットすることができ、梱包容積は半分になる。また、使用に際しては外観の見栄えが損なわれることがない。
【０００９】
請求項２記載の止まりセットは、請求項１記載の止まりセットにおいて、一方の軒樋止まり部材の内側面に雌型の係合突起部が形成され、他方の軒樋止まり部材の内側面に雄型の係合突起部が形成され、雌雄の係合突起部同志が係合し合うことを特徴としている。
【００１０】
請求項２記載の止まりセットでは、一方の軒樋止まり部材の内側面に雌型の係合突起部が形成され、他方の軒樋止まり部材の内側面に雄型の係合突起部が形成され、雌雄の係合突起部同志が係合し合うので、一対の軒樋止まり部材はがたつくことなくセットすることができ、梱包容積は半分になり、使用に際しては外観の見栄えが損なわれることがない。
【００１１】
請求項３記載の止まりセットは、請求項１記載の止まりセットにおいて、係合突起部が外周リブと係合し規制されていることを特徴としている。
【００１２】
請求項３記載の止まりセットでは、係合突起部が外周リブと係合し規制されているので、一対の軒樋止まり部材はがたつくことなくセットすることができ、梱包容積は半分になり、使用に際しては外観の見栄えが損なわれることがない。
【００１３】
【発明の実施の形態】
以下に本発明の実施の形態について第１〜３実施例を図面を参照しながら説明する。
【００１４】
図１は本発明の第１実施例における止まりセットを示す正面図、図２は図１におけるＡ−Ａ線矢視の断面図、図３は同止まりセットにおける一方の軒樋止まり部材を示す斜め背方から見た斜視図、図４は同じく一方の軒樋止まり部材の背面図、図５は図４におけるＢ−Ｂ線矢視の断面図、図６は同止まりセットにおける他方の軒樋止まり部材を示す背面図、図７は図６におけるＣ−Ｃ線矢視の断面図である。
【００１５】
図１〜２に示すように、止まりセットＡは、一対の軒樋止まり部材１Ａ、１Ａの内側面１０ａ、１０ａ同士を対向させ互い違いに重ね合わせて形成され、雄雌の係合突起部１４、１５同士で係脱自在に接続されている。
【００１６】
一対の軒樋止まり部材１Ａ、１Ａは、図示しない軒樋の両端部に嵌合固着されるもので、軒樋と同様の樹脂で形成され、軒樋の断面形状と略同じ形状の止水壁本体１０と、この止水壁本体１０の上端縁を除く周縁から直交する方向に軒樋の外周面に嵌合する外周リブ１１とから形成されている。本実施例では、外周リブ１１は軒樋の外周面に対接するように屈曲形成されており、前側部が後側部より高く形成されており、前後両端部分に軒樋の両耳にそれぞれ係合される前耳保持部１２と後耳保持部１３が形成されている。
【００１７】
また本実施例では、一方の軒樋止まり部材１Ａの内側面１０ａに雌孔１４ａを有する円筒状の係合突起部１４が形成され、他方の軒樋止まり部材１Ａの内側面１０ａに雄棒１５ａを有する円柱状の係合突起部１５が形成され、一対の軒樋止まり部材１Ａ、１Ａの内側面１０ａ、１０ａを対向させ互い違いに重ね合わせたときに雌雄の係合突起部１４、１５同士が係合することにより連結して互いにずれないように規制するようになっている。
【００１８】
このような止まりセットＡは、成形工場おいて一対の軒樋止まり部材１Ａ、１Ａが射出成形されたあと、一対の軒樋止まり部材１Ａ、１Ａの内側面１０ａ、１０ａを対向させ互い違いに重ね合わせて、雌型の係合突起部１４の雌孔１４ａに雄型の係合突起部１５の雄棒１５ａを挿入して係合し組み立てる。
施工の際には係合突起部１４の雌孔１４ａから係合突起部１５の雄棒１５ａを外すだけで分離でき、それぞれの軒樋止まり部材１Ａ、１Ａを軒樋の端部に嵌合固着すればよい。
【００１９】
図８〜図１４は本発明の第２実施例を示し、図８は本発明の第２実施例における止まりセットを示す正面図、図９は図８におけるＤ−Ｄ線矢視の断面図、図１０は同止まりセットにおける一方の軒樋止まり部材を示す斜め背方から見た斜視図、図１１は同じく一方の軒樋止まり部材の背面図、図１２は図１１におけるＥ−Ｅ線矢視の断面図、図１３は同止まりセットにおける他方の軒樋止まり部材を示す背面図、図１４は図１３におけるＦ−Ｆ線矢視の断面図である。なお、前記第１実施例の止まりセットＡと同一部分については、同一符号を付して説明を省略する。
【００２０】
この第２実施例の場合、図８〜１０に示すように、止まりセットＢは、内側面１０ａに雌雄の係合突起部１４、１５を設ける代わりに、水平片１６ａと垂直片１６ｂとからなる鉤状の係合突起部１６を設けたこと以外は第１実施例の止まりセットＢと基本的には同じである。
この止まりセットＢの場合、一対の軒樋止まり部材１Ｂ、１Ｂの内側面１０ａ、１０ａ同士を対向させ互い違いに重ね合わせて係合突起部１６を外周リブ１１の後耳保持部１３に係合させて規制している。
【００２１】
このような止まりセットＢは、成形工場おいて一対の軒樋止まり部材１Ｂ、１Ｂが射出成形されたあと、一対の軒樋止まり部材１Ｂ、１Ｂの内側面１０ａ、１０ａを対向させ互い違いに重ね合わせて、鉤状の係合突起部１６の水平片１６ａを外周リブ１１の後耳保持部１３の内側に内接した状態で係合し組み立てる。
施工の際には係合突起部１６の水平片１６ａから後耳保持部１３を外すだけで分離することができ、それぞれの軒樋止まり部材１Ｂ、１Ｂを軒樋の端部に嵌合固着すればよい。
【００２２】
図１５〜図１８は本発明の第３実施例を示し、図１５は本発明の第３実施例における止まりセットを示す正面図、図１６は図１５におけるＧ−Ｇ線矢視の断面図、図１７は同止まりセットにおける一方の軒樋止まり部材を示す背面図、図１８は図１７におけるＨ−Ｈ線矢視の断面図である。なお、前記第１実施例の止まりセットＡと同一部分については、同一符号を付して説明を省略する。
【００２３】
この第３実施例の場合、図１５〜１６に示すように、止まりセットＣは、一対の軒樋止まり部材１Ｃ、１Ｃの内側面１０ｃ、１０ｃ同士を対向させ互い違いに重ね合わせられている。
【００２４】
一対の軒樋止まり部材１Ｃ、１Ｃは、図示しない軒樋の両端部に対向するようにして嵌合固着されるもので、軒樋と同様の樹脂で形成され、軒樋の断面形状と略同じ形状の止水壁本体３０と、この止水壁本体３０の上端縁を除く周縁から直交する方向に軒樋の外周面に嵌合する外周リブ３１とから形成されている。
【００２５】
本実施例では、図１７〜１８に示すように、軒樋止まり部材１Ｃは軒樋Ｆの外周面に対接するように外周リブ３１が屈曲形成されている。この外周リブ３１は前側部が後側部より高く形成されており、前後両端部分に軒樋Ｆの両耳５１、５２にそれぞれ係合される前耳保持部３２と後耳保持部３３が形成されている。
【００２６】
前耳保持部３２は、断面コ字状に形成されており、外周リブ３１の上端から湾曲して屋外側に水平に延設した下辺部３２１と、この下辺部３２１の先端から上方に屈曲した縦辺部３２２と、この縦辺部３２２の上端から屋内側に向け屈曲した上辺部３２３とから構成されている。
【００２７】
また本実施例では、止水壁本体部３０の内側面１０ｃ中程に前記外周リブ３１と間隔を開けて膨出段部３５が一体に形成されており、この膨出段部３５の内側面１０ｃに係合突起部１８が突出して設けられている。この係合突起部１８は、一対の軒樋止まり部材１Ｃ、１Ｃの内側面１０ｃ、１０ｃを対向させ互い違いに重ね合わせたときに、係合突起部１８の湾曲した外反面が前耳保持部３２の下辺部３２１の湾曲した内反面と当接して係合するようになっている。
尚、符号３６は、上記軒樋Ｆの端部を挿入する挿入溝で、膨出段部３５と外周リブ３１との間隔を設けることにより形成される。
【００２８】
このような止まりセットＣは、成形工場おいて一対の軒樋止まり部材１Ｃ、１Ｃが射出成形されたあと、一対の軒樋止まり部材１Ｃ、１Ｃの内側面１０ｃ、１０ｃを対向させ互い違いに重ね合わせて、係合突起部１８に前耳保持部３２の下辺部３２１を係合して組み立て、タンボール箱等に複数セットを集積して梱包される。
【００２９】
施工の際には、ダンボール箱から止まりセットＣを取り出し、互い違いに重なり合っている軒樋止まり部材１Ｃ、１Ｃの係合突起部１８から前耳保持部３２の下辺部３２１を外すだけで軒樋止まり部材１Ｃ、１Ｃを分離することができ、軒樋止まり部材１Ｃ、１Ｃを軒樋Ｆの両端部にそれぞれ嵌合固着すればよい。
【００３０】
以上、本発明の実施の形態を図面に基づいて説明してきたが、具体的な構成はこの実施例の限られるものではなく本発明の要旨を逸脱しない範囲の設計変更等があっても本発明に含まれる。
【００３１】
例えば、第２実施例において、一対の軒樋止まり部材１Ｂ、１Ｂの内側面１０ａ、１０ａ同士を対向させ互い違いに重ね合わせたときに外周リブ１１の底部を規制するストッパー片として係合突起１７を前耳保持部１３に近接して設けてもよい。この場合、後耳保持部１２に係合する係合突起１６はなくてもよい。
【００３２】
【発明の効果】
以上説明したように、本発明の請求項１記載の止まりセットにあっては、軒樋の両端部に固着される一対の軒樋止まり部材からなる止まりセットであって、軒樋止まり部材の上端縁を除く端縁内側面には軒樋の外周に嵌合する外周リブが形成されると共にそれぞれの軒樋止まり部材の内側面に係合突起部が形成されており、一対の軒樋止まり部材の内側面同士を対向させ互い違いに重ね合わせたときに互いにずれないように係合突起部同士が係合し合っているので、一対の軒樋止まり部材を簡単に且つコンパクトにセットすることができ、施工の際に切断除去の作業が不要となる。従って、梱包、保管、輸送の効率が向上し、また、施工作業が簡単で切断屑のゴミが発生しなく、綺麗に仕上がる。
【００３３】
本発明の請求項２記載の止まりセットにあっては、一方の軒樋止まり部材の内側面に雌型の係合突起部が形成され、他方の軒樋止まり部材の内側面に雄型の係合突起部が形成され、雌雄の係合突起部同志が係合し合っているので、一対の軒樋止まり部材を簡単に且つコンパクトにセットすることができ、施工の際に切断除去の作業が不要となる。従って、梱包、保管、輸送の効率が向上し、また、施工作業が簡単で切断屑のゴミが発生しなく、綺麗に仕上がる。
【００３４】
本発明の請求項３記載の止まりセットにあっては、係合突起部が外周リブと係合し規制されているので、一対の軒樋止まり部材を簡単に且つコンパクトにセットすることができ、施工の際に切断除去の作業が不要となる。従って、梱包、保管、輸送の効率が向上し、また、施工作業が簡単で切断屑のゴミが発生しなく、綺麗に仕上がる。
【図面の簡単な説明】
【図１】本発明の第１実施例における止まりセットを示す正面図である。
【図２】図１におけるＡ−Ａ線矢視の断面図である。
【図３】同止まりセットにおける一方の軒樋止まり部材を示す斜め背方から見た斜視図である。
【図４】同じく一方の軒樋止まり部材の背面図である。
【図５】図４におけるＢ−Ｂ線矢視の断面図である。
【図６】同止まりセットにおける他方の軒樋止まり部材を示す背面図である。
【図７】図６におけるＣ−Ｃ線矢視の断面図である。
【図８】本発明の第２実施例における止まりセットを示す正面図である。
【図９】図８におけるＤ−Ｄ線矢視の断面図である。
【図１０】同止まりセットにおける一方の軒樋止まり部材を示す斜め背方から見た斜視図である。
【図１１】同じく一方の軒樋止まり部材の背面図である。
【図１２】図１１におけるＥ−Ｅ線矢視の断面図である。
【図１３】同止まりセットにおける他方の軒樋止まり部材を示す背面図である。
【図１４】図１３におけるＦ−Ｆ線矢視の断面図である。
【図１５】本発明の第３実施例における止まりセットを示す正面図である。
【図１６】図１５におけるＧ−Ｇ線矢視の断面図である。
【図１７】同止まりセットにおける一方の軒樋止まり部材を示す背面図である。
【図１８】図１７におけるＨ−Ｈ線矢視の断面図である。
【符号の説明】
Ａ、Ｂ、Ｃ    止まりセット
１Ａ、１Ｂ、１Ｃ      軒樋止まり部材
１０、３０    止水壁本体
１１、３１    外周リブ
１２、３２    前耳保持部
１３、３３    後耳保持部
１４、１５、１６、１７、１８    係合突起部
´
【図１】
2004278259.tif 000003
【図２】
2004278259.tif 000004
【図３】
2004278259.tif 000005
【図４】
2004278259.tif 000006
【図５】
2004278259.tif 000007
【図６】
2004278259.tif 000008
【図７】
2004278259.tif 000009
【図８】
2004278259.tif 000010
【図９】
2004278259.tif 000011
【図１０】
2004278259.tif 000012
【図１１】
2004278259.tif 000013
【図１２】
2004278259.tif 000014
【図１３】
2004278259.tif 000015
【図１４】
2004278259.tif 000016
【図１５】
2004278259.tif 000017
【図１６】
2004278259.tif 000018
【図１７】
2004278259.tif 000019
【図１８】
2004278259.tif 000020